(57)【要約】【課題】本願発明は、ラス型枠を組み立てる際のフォームタイや端太パイプ等の仮設材を不要とし、コンクリート打設した後、コンクリート面がそのまま仕上げとなり、あるいは直にコンクリート面のモルタル等の仕上げが可能なコンクリート型枠を提供する。【解決手段】床面から立設されるせき板と該せき板の間隔を保持するせき板用セパレーターとからなり、せき板をリブラスまたは網の目状鋼板とし、せき板用セパレーターを少なくとも１本の縦筋に所定の先端部を曲折した複数本の横筋を等間隔にかつ平面的な位置が略一致するように溶着した柱型セパレーターとし、柱型セパレーターの横筋の曲折された部分にせき板を当接または嵌合させて固着する構成として、端太パイプ等の仮設材を不要とした。【選択図】図２
2008202389.tif 000002
【特許請求の範囲】
【請求項１】
床面から立設されるせき板と該せき板の間隔を保持するせき板用セパレーターとからなり、
該せき板はリブラスまたは網の目状鋼板であり、
該せき板用セパレーターは少なくとも１本の縦筋に所定の同一平面形状を有する複数本の横筋が等間隔にかつ平面的な位置が略一致するように溶着されるとともに、該横筋は該せき板に直交するように略水平に延伸し、該せき板近傍で少なくとも一端が直角または鋭角に水平方向または垂直方向に曲折される柱型セパレーターであり、
該柱型セパレーターの横筋の曲折された部分に該せき板が当接または嵌合して固着され、
該柱型セパレーターは該床面から所定の間隔で立設される、ことを特徴とするコンクリート型枠。
【請求項２】
前記せき板のリブラスまたは網の目状鋼板の板厚は略０．５ｍｍ〜略２．３ｍｍであり、前記せき板用セパレーターの縦筋および横筋は略５ｍｍφ〜略６ｍｍφである、ことを特徴とする請求項１に記載のコンクリート型枠。
【請求項３】
前記柱型セパレーターの縦筋の内、該柱型セパレーターの横筋の曲折された部分に最も近い縦筋は該縦筋に構造用の鉄筋を構成する横筋を当接させて該構造用の鉄筋を組み立てたときに、該構造用の鉄筋のコンクリート被り厚さが規定の厚さとなる位置である、ことを特徴とする請求項１または請求項２に記載のコンクリート型枠。
【請求項４】
前記柱型セパレーターの横筋の間隔は前記せき板のリブラスのリブの間隔または網の目状鋼板の網の目の間隔の整数倍に一致する略８０ｍｍ〜略１５０ｍｍである、ことを特徴とする請求項１ないし請求項３に記載のコンクリート型枠。
【請求項５】
複数の前記柱型セパレーターの前記床面から立設される所定の間隔は略４００ｍｍ〜略６００ｍｍである、ことを特徴とする請求項１ないし請求項４に記載のコンクリート型枠。
【請求項６】
前記せき板は相対して設置される一対のせき板からなり、
前記柱型セパレーターの横筋の両端は直角または鋭角に水平方向または垂直方向に曲折され、
該一対のせき板のそれぞれが該柱型セパレーターの横筋の両端の曲折された部分に固着される、ことを特徴とする請求項１ないし請求項５に記載のコンクリート型枠。
【請求項７】
前記せき板はリブラスであってリブラスのリブが水平方向となるように設置され、
前記柱型セパレーターの横筋の両端は鋭角に水平方向または垂直方向に曲折され、
該リブラスのリブの間隔と該柱型セパレーターの横筋の間隔とは同一であって、該リブと該リブに当接する該柱型セパレーターの横筋の曲折された部分とが固着される、ことを特徴とする請求項６に記載のコンクリート型枠。
【請求項８】
前記せき板は矩形の網の目状鋼板であって両側の長辺の辺縁は略直角に折り曲げられた曲折縁部を具え、該長辺が垂直方向となるとともに該曲折縁の方向を前記柱型セパレーター側に向けて設置され、
該柱型セパレーターの横筋の両端は水平方向に直角に曲折されるとともに複数の該柱型セパレーターの前記床面から立設される間隔は該せき板の短辺の長さに略一致し、
該柱型セパレーターの横筋の直角に曲折された先端が該せき板の曲折縁部の網目に嵌合して該せき板を固着し、
隣接する該せき板の相互に当接する曲折縁部同士は所定の間隔でスポット状に固着される、ことを特徴とする請求項６に記載のコンクリート型枠。
【請求項９】
前記せき板は矩形の網の目状鋼板であって両側の長辺が垂直方向となるように設置され、
該柱型セパレーターの横筋の両端は水平方向に直角または鋭角に曲折されるとともに複数の該柱型セパレーターの前記床面から立設される間隔は該せき板の短辺の長さに略一致し、
該せき板の網目に当接する該柱型セパレーターの横筋の直角または鋭角に曲折された部分と該網目とが固着され、
隣接する該せき板の相互に当接する長辺同士は所定の間隔でスポット状に固着される、ことを特徴とする請求項６に記載のコンクリート型枠。
【請求項１０】
前記せき板は所定の壁面に対置して設置され、
前記柱型セパレーターの横筋の一端は直角または鋭角に水平方向または垂直方向に曲折されるとともに該柱型セパレーターの横筋の他端は該所定の壁面に連結して固着され、
該せき板は該柱型セパレーターの横筋の両端の曲折された部分に固着される、ことを特徴とする請求項１ないし請求項５に記載のコンクリート型枠。
【請求項１１】
前記せき板はリブラスであってリブラスのリブが水平方向となるように設置され、
前記柱型セパレーターの横筋の一端は鋭角に水平方向または垂直方向に曲折され、
該リブラスのリブの間隔と該柱型セパレーターの横筋の間隔とは同一であって、該リブと該リブに当接する該柱型セパレーターの横筋の曲折された部分とが固着される、ことを特徴とする請求項１０に記載のコンクリート型枠。
【請求項１２】
前記せき板は矩形の網の目状鋼板であって両側の長辺の辺縁は略直角に折り曲げられた曲折縁部を具え、該長辺が垂直方向となるとともに該曲折縁の方向を前記柱型セパレーター側に向けて設置され、
該柱型セパレーターの横筋の一端は水平方向に直角に曲折されるとともに複数の該柱型セパレーターの前記床面から立設される間隔は該せき板の短辺の長さに略一致し、
該柱型セパレーターの横筋の直角に曲折された先端が該せき板の曲折縁部の網目に嵌合して該せき板を固着し、
隣接する該せき板の相互に当接する曲折縁部同士は所定の間隔でスポット状に固着される、ことを特徴とする請求項１０に記載のコンクリート型枠。
【請求項１３】
前記せき板は矩形の網の目状鋼板であって両側の長辺が垂直方向となるように設置され、
該柱型セパレーターの横筋の一端は水平方向に直角または鋭角に曲折されるとともに複数の該柱型セパレーターの前記床面から立設される間隔は該せき板の短辺の長さに略一致し、
該せき板の網目に当接する該柱型セパレーターの横筋の直角または鋭角に曲折された部分と該網目とが固着され、
隣接する該せき板の相互に当接する長辺同士は所定の間隔でスポット状に固着される、ことを特徴とする請求項１０に記載のコンクリート型枠。
【発明の詳細な説明】
【技術分野】
【０００１】
本願発明は、コンクリート打設用のコンクリート型枠に関し、より詳しくは、リブラス、網の目状鋼板をせき板として使用したラスコンクリート型枠に関する。
【背景技術】
【０００２】
コンクリート打設用の型枠に使用するせき板として、合板に替えてリブラスやメタルラスを用いたラス型枠は従来から知られていて、このラス型枠に関する発明として、たとえば、特開平８−２７７６０５号公報、特開２００２−１３８６６４号公報、および出願人の発明に係る特開２００５−１６３３２０号公報がある。
【０００３】
特開平８−２７７６０５号公報に開示の技術は、発明の名称「ラス型枠工法及びそのラス型枠用せき板」に係り、「ラス網を用いたせき板の利点である軽量化及び材料費の削減を生かしながら、型枠として建て込んだ場合の剛性を強化して、梁部や壁部と同時にスラブ部に対するコンクリートの打設も実施できるように建築工法を改善し、その作業性を向上する」ことを課題とし、この課題を解決する手段として、「外側へ突出させた断面略コ字状の凸状支柱部とラス網部とを一体的に形成したせき板を用い、凸状支柱部の外側へ突出した突出端面の外面に横端太を固定して型枠を建て込み、そのせき板上にフラットデッキを載置して、その荷重を凸状支柱部により支持した状態でコンクリートを打設することにより、梁部や壁部とスラブ部を同時に打設する」構成としている。
【０００４】
また、特開２００２−１３８６６４号公報に開示の技術は、発明の名称「セパレーター保持装置およびそれを用いたラス型枠工法」に係り、「精度が高く且つ耐久性に優れるラス型枠を、安価に、そして、容易に構築する」ことを課題とし、この課題を解決する手段として、「セパレーター保持装置は、電気絶縁性および靱性を有する合成樹脂からなり、ベルト状の鉄筋取付部と、切り欠きを有する環形状に構成されたセパレーター取付部とからなる。セパレーター取付部には、ベルト状の鉄筋取付部を通す貫通孔が設けられている。鉄筋取付部を山切り状部を鉄筋の外周面に接触させて巻付け、貫通孔に鉄筋取付部を通して噛み込ませ、貫通孔の角部との接触により鉄筋取付部をセパレーター取付部に固定すれば、セパレーター保持装置は鉄筋に固定される。セパレーター保持装置を鉄筋に先付けにより固定し、セパレーター取付部の環内にセパレーターを嵌め込み、ラス型枠を構築していく」こととしている。
【０００５】
そして、出願人の発明に係る特開２００５−１６３３２０号公報に開示の技術は、発明の名称「鋼製メッシュ型枠材の固定方法およびその固定に使用されるクリップ留め固定具」に係り、「メッシュ型枠材を使用してコンクリート躯体を構築するとき、そのメッシュ型枠材をコンクリート躯体内部に配される支柱部材に容易、強固に固定できるようにする」ことを課題とし、この課題を解決する手段として、「コンクリート躯体の表層位置で支持構枠する網目を有する鋼製メッシュ型枠材にコンクリート材を打設し、メッシュ型枠材と共に一体状のコンクリート躯体を構築する。このときコンクリート躯体内に配置する鉄筋材、アングル材、トラス枠等の支柱部材に、メッシュ型枠材に形成してあるリブ部を介在させて固定手段によって当該メッシュ型枠材を固定する。その固定には、メッシュ型枠材のリブ部にその外側から打ち込み、内部配置の支柱部材である鉄筋材に嵌合固定できるよう中央係止部と、中央係止部から二股状に延設した嵌合用切欠部を有する保持片部８とを備えたクリップ留め固定具を使用する」こととしている。
【特許文献１】特開平８−２７７６０５号公報
【特許文献２】特開２００２−１３８６６４号公報
【特許文献３】特開２００５−１６３３２０号公報
【発明の開示】
【発明が解決しようとする課題】
【０００６】
しかしながら、特開平８−２７７６０５号公報および特開２００２−１３８６６４号公報に開示の技術は、ラス型枠を組み立てる際に、フォームタイや端太パイプ等の仮設材を使用しているため、当然のことながら、コンクリート打設した後、所定のコンクリート養生期間経過した後の仮設材の解体作業を必要とするとともに、特開２００２−１３８６６４号公報に開示の技術にあっては、ラス網部に一体となった凸状支柱部がコンクリート面から突出するために、仮に、当該コンクリート面をモルタル等で仕上げる場合には、この凸状支柱部が障害となる恐れがある。
また、特開２００５−１６３３２０号公報に開示の技術は、ラス型枠を組み立てる際に、フォームタイや端太パイプ等の仮設材を使用してはいないものの、特開２００２−１３８６６４号公報に開示の技術と同様に、リブ部がコンクリート面から突出するために、仮に、当該コンクリート面をモルタル等で仕上げる場合には、このリブ部が障害となる恐れがある。
【０００７】
そこで、本願発明は、ラス型枠を組み立てる際のフォームタイや端太パイプ等の仮設材を不要とし、コンクリート打設した後、コンクリート面がそのまま仕上げとなり、あるいは直にコンクリート面のモルタル等の仕上げが可能なコンクリート型枠を提供することを目的とする。
【課題を解決するための手段】
【０００８】
本願請求項１に係るコンクリート型枠は、床面から立設されるせき板と該せき板の間隔を保持するせき板用セパレーターとからなり、該せき板はリブラスまたは網の目状鋼板であり、該せき板用セパレーターは少なくとも１本の縦筋に所定の同一平面形状を有する複数本の横筋が等間隔にかつ平面的な位置が略一致するように溶着されるとともに、該横筋は該せき板に直交するように略水平に延伸し、該せき板近傍で少なくとも一端が直角または鋭角に水平方向または垂直方向に曲折される柱型セパレーターであり、該柱型セパレーターの横筋の曲折された部分に該せき板が当接または嵌合して固着され、該柱型セパレーターは該床面から所定の間隔で立設される、ことを特徴としている。
なお、床面とはスラブ等の本設の床面や床型枠等の仮設の床面をいい、網の目状鋼板には、メタルラス、エキスパンドメタルおよびパンチングメタルを含む。また、固着には、溶接による溶着、なまし鉄線（結束線）による縛着、鋼材をかしめる締着等がある。
また、本願請求項２に係るコンクリート型枠は、請求項１に記載のコンクリート型枠であって、前記せき板のリブラスまたは網の目状鋼板の板厚は略０．５ｍｍ〜略２．３ｍｍであり、前記せき板用セパレーターの縦筋および横筋は略５ｍｍφ〜略６ｍｍφである、ことを特徴としている。
そして、本願請求項３に係るコンクリート型枠は、請求項１または請求項２に記載のコンクリート型枠であって、前記柱型セパレーターの縦筋の内、該柱型セパレーターの横筋の曲折された部分に最も近い縦筋は該縦筋に構造用の鉄筋を構成する横筋を当接させて該構造用の鉄筋を組み立てたときに、該構造用の鉄筋のコンクリート被り厚さが規定の厚さとなる位置である、ことを特徴としている。
なお、構造用の鉄筋とは、柱型セパレーターを構成する縦筋や横筋とは別体の鉄筋コンクリートを構成する鉄筋をいい、規定の厚さとは仕様書等で定められた鉄筋のコンクリート被り厚さをいう。
さらに、本願請求項４に係るコンクリート型枠は、請求項１ないし請求項３に記載のコンクリート型枠であって、前記柱型セパレーターの横筋の間隔は前記せき板のリブラスのリブの間隔または網の目状鋼板の網の目の間隔の整数倍に一致する略８０ｍｍ〜略１５０ｍｍである、ことを特徴としている。
また、本願請求項５に係るコンクリート型枠は、請求項１ないし請求項４に記載のコンクリート型枠であって、複数の前記柱型セパレーターの前記床面から立設される所定の間隔は略４００ｍｍ〜略６００ｍｍである、ことを特徴としている。
そして、本願請求項６に係るコンクリート型枠は、請求項１ないし請求項５に記載のコンクリート型枠であって、前記せき板は相対して設置される一対のせき板からなり、前記柱型セパレーターの横筋の両端は直角または鋭角に水平方向または垂直方向に曲折され、該一対のせき板のそれぞれが該柱型セパレーターの横筋の両端の曲折された部分に固着される、ことを特徴としている。
さらに、本願請求項７に係るコンクリート型枠は、請求項６に記載のコンクリート型枠であり、前記せき板はリブラスであってリブラスのリブが水平方向となるように設置され、前記柱型セパレーターの横筋の両端は鋭角に水平方向または垂直方向に曲折され、該リブラスのリブの間隔と該柱型セパレーターの横筋の間隔とは同一であって、該リブと該リブに当接する該柱型セパレーターの横筋の曲折された部分とが固着される、ことを特徴としている。
また、本願請求項８に係るコンクリート型枠は、請求項６に記載のコンクリート型枠であり、前記せき板は矩形の網の目状鋼板であって両側の長辺の辺縁は略直角に折り曲げられた曲折縁部を具え、せき板１１の曲折縁部２１の網目を柱型セパレーター３１の横筋４３の先端部に嵌め合わせながら建て込む該長辺が垂直方向となるとともに該曲折縁の方向を前記柱型セパレーター側に向けて設置され、該柱型セパレーターの横筋の両端は水平方向に直角に曲折されるとともに複数の該柱型セパレーターの前記床面から立設される間隔は該せき板の短辺の長さに略一致し、該柱型セパレーターの横筋の直角に曲折された先端が該せき板の曲折縁部の網目に嵌合して該せき板を固着し、隣接する該せき板の相互に当接する曲折縁部同士は所定の間隔でスポット状に固着される、ことを特徴としている。
なお、曲折縁部の網目に嵌合してせき板を固着するとは、網目に柱型セパレーターの横筋の先端部が比較的緩やかに嵌合している状態をいい、スポット状に固着されるとは、縛着、溶着などのように固定されている状態をいう。
そして、本願請求項９に係るコンクリート型枠は、請求項６に記載のコンクリート型枠であり、前記せき板は矩形の網の目状鋼板であって両側の長辺が垂直方向となるように設置され、該柱型セパレーターの横筋の両端は水平方向に直角または鋭角に曲折されるとともに複数の該柱型セパレーターの前記床面から立設される間隔は該せき板の短辺の長さに略一致し、該せき板の網目に当接する該柱型セパレーターの横筋の直角または鋭角に曲折された部分と該網目とが固着され、隣接する該せき板の相互に当接する長辺同士は所定の間隔でスポット状に固着される、ことを特徴としている。
さらに、本願請求項１０に係るコンクリート型枠は、請求項１ないし請求項５に記載のコンクリート型枠であって、前記せき板は所定の壁面に対置して設置され、前記柱型セパレーターの横筋の一端は直角または鋭角に水平方向または垂直方向に曲折されるとともに該柱型セパレーターの横筋の他端は該所定の壁面に連結して固着され、該せき板は該柱型セパレーターの横筋の両端の曲折された部分に固着される、ことを特徴としている。
なお、ここでいう所定の壁面とは土留め壁面やコンクリート壁面等のせき板以外の壁面をいい、セパレーターの横筋の他端の連結して固着されるとは、たとえば、土留め壁面のアンカーに、直接的あるいは間接的に連結して溶着されるような場合をいう。
また、本願請求項１１に係るコンクリート型枠は、請求項１０に記載のコンクリート型枠であり、前記せき板はリブラスであってリブラスのリブが水平方向となるように設置され、前記柱型セパレーターの横筋の一端は鋭角に水平方向または垂直方向に曲折され、該リブラスのリブの間隔と該柱型セパレーターの横筋の間隔とは同一であって、該リブと該リブに当接する該柱型セパレーターの横筋の曲折された部分とが固着される、ことを特徴としている。
そして、本願請求項１２に係るコンクリート型枠は、請求項１０に記載のコンクリート型枠であり、前記せき板は矩形の網の目状鋼板であって両側の長辺の辺縁は略直角に折り曲げられた曲折縁部を具え、該長辺が垂直方向となるとともに該曲折縁の方向を前記柱型セパレーター側に向けて設置され、該柱型セパレーターの横筋の一端は水平方向に直角に曲折されるとともに複数の該柱型セパレーターの前記床面から立設される間隔は該せき板の短辺の長さに略一致し、該柱型セパレーターの横筋の直角に曲折された先端が該せき板の曲折縁部の網目に嵌合して該せき板を固着し、隣接する該せき板の相互に当接する曲折縁部同士は所定の間隔でスポット状に固着される、ことを特徴としている。
さらに、本願請求項１３に係るコンクリート型枠は、請求項１０に記載のコンクリート型枠であり、前記せき板は矩形の網の目状鋼板であって両側の長辺が垂直方向となるように設置され、該柱型セパレーターの横筋の一端は水平方向に直角または鋭角に曲折されるとともに複数の該柱型セパレーターの前記床面から立設される間隔は該せき板の短辺の長さに略一致し、該せき板の網目に当接する該柱型セパレーターの横筋の直角または鋭角に曲折された部分と該網目とが固着され、隣接する該せき板の相互に当接する長辺同士は所定の間隔でスポット状に固着される、ことを特徴としている。
【発明の効果】
【０００９】
本願各請求項に係る発明は上記の構成により以下の効果を奏する。
（１）本願発明はせき板にリブラスまたは網の目状鋼板を使用し、床面から立設される柱型セパレーターに該せき板を固着していて、型枠組み立てに際してはせき板および柱型セパレーター以外にフォームタイや端太パイプ等の仮設材を使用していない。このため、コンクリート打設後の型枠解体作業が不要となり、工程の短縮を図ることができる。
（２）柱型セパレーターの縦筋の位置を該縦筋に構造用の鉄筋を構成する横筋を当接させたときに、該構造用の鉄筋が規定のコンクリート被り厚さとなるようにしているため、たとえば、柱型セパレーターを床面から所定の間隔で仮止めし、当該柱型セパレーターの両側から構造用の横筋を当接させ、この構造用の横筋に構造用の縦筋を当接させて組み立てれば、壁筋を極めて容易に組み立てられることができる。すなわち、柱型セパレーターは構造用鉄筋の間隔を保持するとともに規定のコンクリート被り厚さを確保することができる。
（３）リブラスのリブを直に柱型セパレーターの横筋の曲折した部分に固着し、網の目状鋼板の網目に当接する柱型セパレーターの横筋の曲折した部分を直に固着し、あるいは、網の目状鋼板の網目の曲折縁部の方向を柱型セパレーターに向けて設置することとしているため、コンクリート打設後のコンクリート面がそのまま仕上げとなり、あるいは、当該コンクリート面に直にモルタルなどの仕上げが可能となる。
（４）網の目状鋼板の両側部には曲折縁部が設けられるため、当該網の目状鋼板の曲げに対する剛性が高くなり、さらに、隣接する網の目状鋼板の相互に当接する曲折縁部同士が所定の間隔でスポット状に固着されるため、平面的に見たコンクリート打設による網の目状鋼板の中央部の撓みが少なくなる。したがって、精度の良いコンクリート構造物を得ることができる。
【発明を実施するための最良の形態】
【００１０】
本発明を実施するための最良の形態に係る実施例１ないし実施例３について、図１ないし図７に基づいて説明する。
なお、図１は、実施例１および実施例２に係るコンクリート型枠に使用するせき板の正面図であり、図２は、図１における実施例１のII−II矢視断面図（平断面図）であり、図３は、図１における実施例１のIII−III矢視断面図（縦断面図）であり、図４は、図１における実施例２および実施例２の変形例のlV−lV矢視断面図（平断面図）であり、図４（ａ）は、実施例２のlV−lV矢視断面図（平断面図）であり、図４（ｂ）は、実施例２の変形例のlV−lV矢視断面図（平断面図）であり、図５は、図１における実施例２のＶ−Ｖ矢視断面図（縦断面図）であり、図６は、実施例３に係るコンクリート型枠の平断面図であり、図７は、実施例３に係るコンクリート型枠の縦断面図である。
【００１１】
図１ないし図７において、符号１１は実施例１および実施例２のコンクリート型枠に使用するせき板、符号１３は実施例３のコンクリート型枠に使用するせき板、符号２１は曲折縁部、符号２３はリブ、符号３１は実施例１のコンクリート型枠に使用する柱型セパレーター、符号３２は実施例２のコンクリート型枠に使用する柱型セパレーター、符号３３は実施例３のコンクリート型枠に使用する柱型セパレーター、符号４１は柱型セパレーターの縦筋、符号４３は柱型セパレーターの横筋、符号４５は結束線、符号５１は構造用の縦筋、符号５３は構造用の横筋、である。
【実施例１】
【００１２】
まず、実施例１に係るコンクリート型枠について、図１ないし図３を基に説明する。
【００１３】
実施例１に係るコンクリート型枠は壁型枠であって、網の目状鋼板としてエキスパンドメタルを使用した一対のせき板１１、１１と、相対して設置されるせき板１１、１１の間隔を保持するとともにせき板１１、１１を連結する柱型セパレーター３１とから構成されている。
【００１４】
せき板１１に使用されるエキスパンドメタルは厚さが略１．２ｍｍ〜略１・６ｍｍの鋼板を加工したものであり、平面の形状は矩形であって、長辺に沿った両端縁は略２０ｍｍの幅で同一方向に向けて略直角に折り曲げられた曲折縁部２１が形成されている。なお、本実施例では、その断面の形状は曲折縁部２１とフラットな面との挟角が９０°よりも鈍角となった曲折縁部２１の先端がやや開いた形状となっているが、これは、せき板１１を重ね梱包したときに嵩張らないようにするための措置である。
そして、せき板１１の大きさは幅を４５０ｍｍとし、高さをスラブ下型枠あるいは梁下型枠に達する寸法としているが、使用する箇所により適宜この寸法を変えることは勿論である。
【００１５】
柱型セパレーター３１は平行に並べられた２本の５ｍｍφの縦筋４１、４１と、２本の縦筋４１、４１に直交して略１００ｍｍ間隔で格子状に溶着される５ｍｍφの横筋４３、４３、・・・とから構成されている。横筋４３はその両端部が略直角にそれぞれ水平かつ反対方向に折り曲げられたクランク状を呈していて、横筋４３の折り曲げられた方向は縦筋４１の長さ方向に直交するようになっている。なお、横筋４３の両端部をそれぞれ同一方向に折り曲げたコの字状とすることもできる。
そして、柱型セパレーター３１を使用する際には、縦筋４１を床面から立設させるが、その際、横筋４３のクランク状に折り曲げられた先端の方向は、せき板１１に平行になるようにする。また、縦筋４１の長さ、すなわち、柱型セパレーター３１の高さは、せき板１１の高さと略一致することを基本とするが、使用する箇所により適宜この寸法を変えることは勿論である。
【００１６】
つぎに、実施例１に係るコンクリート型枠の組み立て方法およびその作用効果について説明する。
【００１７】
実施例１に係るコンクリート型枠の一つの例として壁型枠の組み立て手順例を以下に記す。
（１）壁芯に沿っての柱型セパレーター３１、３１、・・・をせき板１１の幅に一致するように略４５０ｍｍ間隔で配置し、自立するように仮固定する。
（２）仮固定した柱型セパレーター３１、３１、・・・の一方から構造用の横筋５３を縦筋４１に当接してなまし鉄線（結束線：図示外）で結束し、この構造用の横筋５３をガイドにして、構造用の縦筋５１、５１、・・・を配筋して格子状とし、さらに、柱型セパレーター３１、３１、・・・の他方から構造用の横筋５３を縦筋４１に当接してなまし鉄線（結束線）で結束し、この構造用の横筋５３をガイドにして、構造用の縦筋５１、５１、・・・を配筋して格子状とすることにより、構造用の壁筋（ダブル配筋）が組み立てられる。このようにして、構造用の壁筋を組み立てることができるので、柱型セパレーター３１は、構造用の鉄筋の組み立て用のガイドとしての役割を担うとともに、組み立てられた構造用の鉄筋は、規定のコンクリート被り厚さが確保できる。
（３）つぎに、せき板の割付図に従って、せき板１１の曲折縁部２１の網目を柱型セパレーター３１の横筋４３の先端部に嵌め合わせながら建て込む。
（４）建て込んだ隣接するせき板１１の曲折縁部２１同士を、所定の間隔でスポット溶接して相互に溶着する。なお、溶着でなくとも、なまし鉄線（結束線）で相互に縛着し、あるいは鋼材をかしめて相互に締着しても良い。
以上で型枠組み立て作業は終了するが、型枠組み立て作業に際しては、端太パイプやフォームタイ等のような仮設材を一切不要とし、コンクリート打設後にあっては、使用するせき板もコンクリートとともに構造体となるので、コンクリート打設後の型枠解体作業は一切不要となる。
【００１８】
型枠組み立て作業後のコンクリート打設では、生コンクリート中のコンクリート硬化に不要な余剰水がせき板の網目から滲み出ることもあって、同一のコンクリート打設速度で打ち込んだ時に、コンクリートによる側圧が最大となるコンクリートヘッドが、いわゆるコンパネを使用した型枠に比して比較的早い時期に現れ、せき板１１が受ける側圧はコンパネを使用した型枠よりも低くなる。
そして、打ち込み中の生コンクリートの状況は外部から観察できるので、生コンクリートの回り込み不良やいわゆるジャンカを防ぐことができる。
【００１９】
また、コンクリート打設後では、型枠解体作業が不要となるので、壁面仕上げ等の後工程に直ちに取り掛かることができ、せき板１１に使用されるエキスパンドメタルにより、コンクリート面の収縮亀裂や地震等の揺れによるひび割れを防止することができる。
【実施例２】
【００２０】
つぎに、実施例２に係るコンクリート型枠について、図１、図４および図５を基に説明するが、構成上、実施例１に係るコンクリート型枠と異なるところは、柱型セパレーター３２にあるので、ここでは、主に、柱型セパレーター３２について説明する。
【００２１】
柱型セパレーター３２は１本の５ｍｍφの縦筋４１と、縦筋４１の長さ方向に直交して略１００ｍｍ間隔で溶着される５ｍｍφの横筋４３、４３、・・・とから構成されている（図４（ａ）参照）。なお、柱型セパレーター３２を２本の５ｍｍφの縦筋４１、４１として、２本の縦筋４１、４１を横筋４３を間に挟んでせき板１１と平行に配置しても良い（図４（ｂ）参照）。
横筋４３はその両端部が略直角にそれぞれ水平かつ反対方向に折り曲げられたクランク状を呈していて、横筋４３、４３、・・・の平面的な位置、すなわち横筋４３、４３、・・・を投影したときには、略一致するように溶着されている。なお、横筋４３の両端部をそれぞれ同一方向に折り曲げたコの字状とすることもできる。
そして、柱型セパレーター３１を使用する際には、縦筋４１を床面から立設させるが、その際、横筋４３のクランク状に折り曲げられた先端の方向は、せき板１１に平行になるようにする。また、縦筋４１の長さ、すなわち、柱型セパレーター３１の高さは、せき板１１の高さと略一致することを基本とするが、使用する箇所により適宜この寸法を変えることは勿論である。
【００２２】
この柱型セパレーター３２は、構造用壁筋がシングルの場合に使用され、実施例１に係るコンクリート型枠の一つの例として挙げた壁型枠の組み立て手順例の（２）において、片側のみに構造用の横筋５３と構造用の縦筋５１とを格子状に組めば、実施例２に係るコンクリート型枠の一つの例としての壁型枠の組み立て手順例となる。
また、実施例２に係るコンクリート型枠の効果は、実施例１に係るコンクリート型枠の効果と同一であるので、その説明を省略する。
なお、実施例１および実施例２では、せき板１１の長辺方向を垂直にしているが、水平に使用することもできる。この場合には、柱型セパレーター３１または柱型セパレーター３２に代えて、曲折縁部２１の網目に側面から見た形状がコの字の幅止めを嵌合させることになる。
【実施例３】
【００２３】
つぎに、実施例３に係るコンクリート型枠について、図６および図７を基に説明するが、実施例１や実施例２に係るコンクリート型枠と共通する箇所もあるので、ここでは、実施例１に係るコンクリート型枠とは異なる部分を主に説明する。
【００２４】
実施例３に係るコンクリート型枠は、リブラスを使用した一対のせき板１３、１３と、相対して設置されるせき板１３、１３の間隔を保持するとともにせき板１３、１３同士を連結する柱型セパレーター３３とから構成されている。
【００２５】
せき板１３に使用されるリブラスは厚さが略０．５ｍｍであり、平面の形状は矩形であって、リブ２３の間隔は略１００ｍｍとなっている。
【００２６】
柱型セパレーター３３は平行に並べられた２本の５ｍｍφの縦筋４１、４１と、２本の縦筋４１、４１に直交してリブ２３の間隔と同一の略１００ｍｍ間隔で格子状に溶着される５ｍｍφの横筋４３、４３、・・・とから構成されていて、横筋４３はその両端部が鋭角に水平方向に折り曲げられている。なお、横筋４３の両端部をそれぞれ垂直方向に折り曲げても良いことは勿論である。
そして、柱型セパレーター３３を使用する際には、縦筋４１を床面から立設させるが、その際、横筋４３の方向は、せき板１３に直交する方向となるようにする。また、縦筋４１の長さ、すなわち、柱型セパレーター３３の高さをスラブ下型枠あるいは梁下型枠に達する寸法としているが、使用する箇所により適宜この寸法を変えることは勿論である。
【００２７】
つぎに、実施例３に係るコンクリート型枠の組み立て方法およびその作用効果について説明する。
【００２８】
実施例３に係るコンクリート型枠の一つの例として壁型枠の組み立て手順例を以下に記す。
（１）壁芯に沿っての柱型セパレーター３３、３３、・・・を略４００ｍｍ〜略６００ｍｍ間隔で配置し、自立するように仮固定する。
（２）仮固定した柱型セパレーター３３、３３、・・・の一方から構造用の横筋５３を縦筋４１に当接して結束線（図示外）で結束し、この構造用の横筋５３をガイドにして、構造用の縦筋５１、５１、・・・を配筋して格子状とし、さらに、柱型セパレーター３２、３２、・・・の他方から構造用の横筋５３を縦筋４１に当接して結束線（図示外）で結束し、この構造用の横筋５３をガイドにして、構造用の縦筋５１、５１、・・・を配筋して格子状とすることにより、構造用の壁筋（ダブル配筋）が組み立てられる。このようにして、構造用の壁筋は容易に組み立てることができるが、柱型セパレーター３２は、構造用の鉄筋の組み立て用のガイドとしての役割を担うとともに、組み立てられた構造用の鉄筋は、所定のコンクリート被り厚さが確保できる。
（３）つぎに、せき板の割付図に従って、せき板１３のリブ２３を柱型セパレーター３２の横筋４３の曲折した部分に当接させ、当接した曲折した部分とリブ２３とを結束線４５（なまし鉄線）で結束しながら建て込む。
以上で型枠組み立て作業は終了するが、型枠組み立て作業に際しては、端太パイプやフォームタイ等のような仮設材を一切不要とし、コンクリート打設後にあっては、使用するせき板もコンクリートとともに構造体となるので、コンクリート打設後の型枠解体作業は一切不要となる。
【００２９】
型枠組み立て作業後のコンクリート打設、およびコンクリート打設後における実施例３に係るコンクリート型枠の作用効果は、実施例１に係るコンクリート型枠の作用効果と略同一であるので、その説明を省略する。
【図面の簡単な説明】
【００３０】
【図１】図１は、実施例１および実施例２に係るコンクリート型枠に使用するせき板の正面図である。
【図２】図２は、図１における実施例１のII−II矢視断面図（平断面図）である。
【図３】図３は、図１における実施例１のIII−III矢視断面図（縦断面図）である。
【図４】図４は、図１における実施例２および実施例２の変形例のlV−lV矢視断面図（平断面図）であり、図４（ａ）は、実施例２のlV−lV矢視断面図（平断面図）であり、図４（ｂ）は、実施例２の変形例のlV−lV矢視断面図（平断面図）である。
【図５】図５は、図１における実施例２のＶ−Ｖ矢視断面図（縦断面図）である。
【図６】図６は、実施例３に係るコンクリート型枠の平断面図である。
【図７】図７は、実施例３に係るコンクリート型枠の縦断面図である。
【符号の説明】
【００３１】
１１  実施例１のコンクリート型枠に使用するせき板
１２  実施例２のコンクリート型枠に使用するせき板
１３  実施例３のコンクリート型枠に使用するせき板
２１  曲折縁部
２３  リブ
３１  実施例１のコンクリート型枠に使用する柱型セパレーター
３２  実施例２のコンクリート型枠に使用する柱型セパレーター
３３  実施例３のコンクリート型枠に使用する柱型セパレーター
４１  柱型セパレーターの縦筋
４３  柱型セパレーターの横筋
【図１】
2008202389.tif 000003
【図２】
2008202389.tif 000004
【図３】
2008202389.tif 000005
【図４】
2008202389.tif 000006
【図５】
2008202389.tif 000007
【図６】
2008202389.tif 000008
【図７】
2008202389.tif 000009